(57)【要約】      （修正有）【課題】タグを用いた設備制御システムでは、運用されるタグのタグ識別情報と管理対象の設備の設備識別情報とを対応させて管理装置等に記憶させておく必要がある。運用されるタグの数と管理対象の設備の数とが多い場合に、タグ識別情報と設備識別情報とを管理装置に容易に記憶させる。【解決手段】読取装置は、タグ識別情報を読み取り一時的に記憶（Ｓ１０１５）すると、さらに設備識別情報を読み取り一時的に記憶（Ｓ１０３５）し、それらより紐付け信号を生成（Ｓ１０５０）し、管理装置に送信（Ｓ１０５５）する。管理装置は受信した設備識別情報とタグ識別情報とを記憶する。【選択図】図１０
2011175344.tif 000002
【特許請求の範囲】
【請求項１】
１以上の読取装置と、管理装置とを備える設備制御システムであって、
前記読取装置は、設備に対応付けられている設備識別情報が入力された場合には当該設備識別情報を送信し、タグからタグ識別情報を受信した場合には、登録モードの期間内ならば当該タグ識別情報を含むタグ登録情報を送信し、登録モードでない期間ならば当該タグ識別情報を含む認証情報を送信し、
前記管理装置は、タグ識別情報と設備識別情報とを記憶する記憶手段と、前記読取装置から設備識別情報を受信した場合には当該設備識別情報を前記記憶手段に記憶させ、前記読取装置からタグ登録情報を受信した場合には当該タグ登録情報に含まれるタグ識別情報を前記記憶手段に記憶させ、前記読取装置から認証情報を受信した場合において当該認証情報に含まれるタグ識別情報が前記記憶手段に記憶されているタグ識別情報と一致するときには前記記憶手段に記憶されている設備識別情報を含む制御信号を設備の制御をする装置に出力する制御手段とを有する
ことを特徴とする設備制御システム。
【請求項２】
前記設備制御システムは前記読取装置を複数備え、
前記読取装置のそれぞれは、送信するタグ登録情報と認証情報とに自装置の読取装置識別情報を含ませて送信し、設備識別情報の送信を、当該設備識別情報と自装置の読取装置識別情報とを含む設備登録情報を送信することで行い、
前記記憶手段は、タグ識別情報と設備識別情報とを読取装置識別情報に対応付けて記憶するためのものであり、
前記制御手段は、前記読取装置からタグ登録情報を受信する毎に、当該タグ登録情報に含まれるタグ識別情報を当該タグ識別情報に含まれる読取装置識別情報に対応付けて前記記憶手段に記憶させ、前記読取装置から設備登録情報を受信する毎に、当該設備登録情報に含まれる設備識別情報を当該設備登録情報に含まれる読取装置識別情報に対応付けて前記記憶手段に記憶させ、前記読取装置から認証情報を受信した場合において前記記憶手段に対応付けられて記憶されているタグ識別情報と読取装置識別情報との組の中に当該認証情報に含まれるタグ識別情報と読取装置識別情報との組が存在するときに限って前記記憶手段に記憶されている当該組に対応付けられている設備識別情報を含む制御信号を設備の制御をする装置に出力する
ことを特徴とする請求項１記載の設備制御システム。
【請求項３】
第１読取装置は、第１所定操作を受け付ける第１操作受付手段を有し、当該第１操作受付手段によって前記第１所定操作が受け付けられた場合に自装置の読取装置識別情報を含む第１所定操作情報を前記管理装置に送信し、
第２読取装置は、第２所定操作を受け付ける第２操作受付手段を有し、当該第２操作受付手段によって前記第２所定操作が受け付けられた場合に自装置の読取装置識別情報を含む第２所定操作情報を前記管理装置に送信し、
前記管理装置は、前記第１所定操作情報と前記第２所定操作情報とを受信した場合において当該第１所定操作情報に含まれる読取装置識別情報と一致する読取装置識別情報が前記記憶手段に記憶されているときに当該一致する読取装置識別情報に対応付けられて前記記憶手段に記憶されているタグ識別情報と設備識別情報とを前記第２所定操作情報に含まれる読取装置識別情報に対応付けて前記記憶手段に記憶させる
ことを特徴とする請求項２記載の設備制御システム。
【請求項４】
前記記憶手段は、記憶するタグ識別情報を、記憶する時刻に対応付けて記憶するためのものであり、
前記制御手段は、時刻を計測する時刻計測手段を有し、前記記憶手段に記憶させるタグ識別情報を、当該タグ識別情報を記憶させる時刻に対応付けて記憶させ、前記読取装置からタグ登録情報を受信した場合において、前記記憶手段にタグ識別情報が記憶されていないとき又は、タグ識別情報に対応付けられて前記記憶手段に記憶されている時刻が現在時刻から所定の時間前以内のときには、当該タグ登録情報に含まれるタグ識別情報を前記記憶手段に記憶させ、タグ識別情報に対応付けられて前記記憶手段に記憶されている時刻が現在時刻から所定の時間前以上のときには、前記記憶手段に記憶されているタグ識別情報を前記記憶手段から削除し、当該タグ登録情報に含まれるタグ識別情報を前記記憶手段に記憶させる
ことを特徴とする請求項１記載の設備制御システム。
【請求項５】
前記読取装置は、前記タグにタグ識別信号を送信させるためのタグ質問信号を電磁波に含ませて送信し、
前記登録モードの期間における前記読取装置の送信する電磁波の電界強度が、前記登録モードでない期間における前記読取装置の送信する電磁波の電界強度よりも弱い
ことを特徴とする請求項１記載の設備制御システム。
【請求項６】
前記設備制御システムは、前記タグを複数備え、
前記読取装置は、前記タグにタグ識別信号を送信させるためのタグ質問信号を送信し、
前記タグは、前記タグ質問信号を受信すると、自機のタグ識別情報を含むタグ応答信号を前記読取装置に送信する
ことを特徴とする請求項１記載の設備制御システム。
【請求項７】
前記タグは、所定操作を受け付けるタグ操作受付手段と、時刻を計測する時刻計測手段とを有し、前記タグ応答信号の送信を、前記タグ質問信号を受信した時刻から所定時間内に前記タグ操作受付手段が前記所定操作を受け付けたときに限って行う
ことを特徴とする請求項６記載の設備制御システム。
【請求項８】
前記設備制御システムは、前記設備を備え、
前記設備は、自機に対応付けられている設備識別情報を示すバーコードを有し、
バーコードから設備識別情報を読み取り、当該設備識別情報を前記読取装置に送信するバーコードリーダを備え、
前記読取装置は、前記バーコードリーダから送信された設備識別情報を受信する受信手段を有し、
前記読取装置が入力される設備識別情報は、前記受信手段によって受信された設備識別情報である
ことを特徴とする請求項１記載の設備制御システム。
【請求項９】
前記設備制御システムは、前記設備を備え、
前記設備は、自機に対応付けられている設備識別情報を記憶しているパッシブタグを有し、
パッシブタグから設備識別情報を読み取り、当該設備識別情報を前記読取装置に送信するパッシブタグリーダを備え、
前記読取装置は、前記パッシブタグリーダから送信された設備識別情報を受信する受信手段を有し、
前記読取装置が入力される設備識別情報は、前記受信手段によって受信された設備識別情報である
ことを特徴とする請求項１記載の設備制御システム。
【請求項１０】
前記設備制御システムは、前記設備を備え、
前記設備は、自機に対応付けられている設備識別情報を送信する送信手段を有し、
前記読取装置は、前記送信手段から送信された設備識別情報を受信する受信手段を有し、
前記読取装置が入力される設備識別情報は、前記受信手段によって受信された設備識別情報である
ことを特徴とする請求項１記載の設備制御システム。
【請求項１１】
前記設備は照明器具であって、
前記送信手段は可視光線を用いて設備識別情報を送信し、
前記受信手段は可視光線を用いて送信された設備識別情報を受信する
ことを特徴とする請求項１０記載の設備制御システム。
【発明の詳細な説明】
【技術分野】
【０００１】
本発明は、アクティブタグ（以下、「タグ」という。）の利用により設備の制御を行う設備制御システムに関する。
【背景技術】
【０００２】
タグ等の認証媒体を用いて設備の制御を行う設備制御システムには、読取装置が認証媒体から識別情報を読み取り、その識別情報がその設備制御システムに予め登録されている識別情報と一致する場合に、照明、空調設備、電気錠といった設備の制御を行うという形態で運用されるものがある。
このような設備制御システムの例として、管理装置が認証媒体の照合用の識別情報と設備の識別情報とを対応付けて記憶し、読取装置によって読み取られた認証媒体の識別情報が管理装置に記憶されている認証媒体の照合用の識別情報と一致する場合に、中央監視装置は、対応付けられている設備の識別情報で識別される設備を制御するというもの（特許文献１参照）がある。
【０００３】
また、認証媒体としてタグを用いた設備制御システムでは、読取装置はその読取装置から所定の範囲内に存在するタグの識別情報を読み取ることができるため、認証媒体を読取装置にかざす必要がないことが知られている。
【先行技術文献】
【特許文献】
【０００４】
【特許文献１】特開２００８−１９２０９５号公報
【発明の概要】
【発明が解決しようとする課題】
【０００５】
このようなタグを用いた設備制御システムでは、タグの認証用の識別情報と設備の識別情報とを予め管理装置に記憶させておく必要がある。
従来の設備制御システムでは、設備制御システムを管理する管理者等は、タグの識別情報と設備の識別情報とを、例えば設備制御システムの設計情報等を用いて調べてからでないと、タグの識別情報と設備の識別情報とを管理装置に記憶させることができない。
【０００６】
そこで、本発明は係る問題に鑑みてなされたものであり、管理装置に記憶させるタグの識別情報と管理装置に記憶させる設備の識別情報とを調べなくとも、これらの識別情報を管理装置に記憶させることができる設備制御システムを提供することを目的とする。
【課題を解決するための手段】
【０００７】
上記問題を解決するために本発明に係る設備制御システムは、１以上の読取装置と、管理装置とを備える設備制御システムであって、前記読取装置は、設備に対応付けられている設備識別情報が入力された場合には当該設備識別情報を送信し、タグからタグ識別情報を受信した場合には、登録モードの期間内ならば当該タグ識別情報を含むタグ登録情報を送信し、登録モードでない期間ならば当該タグ識別情報を含む認証情報を送信し、前記管理装置は、タグ識別情報と設備識別情報とを記憶する記憶手段と、前記読取装置から設備識別情報を受信した場合には当該設備識別情報を前記記憶手段に記憶させ、前記読取装置からタグ登録情報を受信した場合には当該タグ登録情報に含まれるタグ識別情報を前記記憶手段に記憶させ、前記読取装置から認証情報を受信した場合において当該認証情報に含まれるタグ識別情報が前記記憶手段に記憶されているタグ識別情報と一致するときには前記記憶手段に記憶されている設備識別情報を含む制御信号を設備の制御をする装置に出力する制御手段とを有することを特徴とする。
【発明の効果】
【０００８】
ここで、読取装置は、複数ある登録モードを含む動作モードのうちのいずれかに動作モードを切り替えて、それに応じた動作を行うものである。
モードが登録モードとなる場合には、例えば、読取装置が起動された場合、登録モード以外のモードの期間においてユーザによる登録モードに切り替える旨の操作を検知した場合等がある。
【０００９】
モードが登録モードから登録モード以外のモードとなる場合には、例えば、読取装置に備えられているタイマが前回登録モードへの切り替えが行われてから所定の時間を計測した場合、登録モードの期間においてユーザによる登録モード以外のモードに切り替える旨の操作を検知した場合等がある。
上述の構成を備える本発明に係る設備制御システムは、読取装置のモードが登録モードである期間中に、読取装置に設備識別情報を入力させて、読取装置にタグからタグ識別情報を受信させるだけで、管理装置に照合用のタグ識別情報と設備識別情報とを記憶させることができるという効果を有する。
【図面の簡単な説明】
【００１０】
【図１】実施の形態１に係る設備制御システムが運用されている建物の平面図
【図２】読取装置２００の主要機能を示すブロック図
【図３】タグによってタグ質問信号が受信される範囲を示す図
【図４】タグ４００の主要機能ブロックを示すブロック図
【図５】照明スイッチ５００の主要機能ブロックを示すブロック図
【図６】照明６００の主要機能ブロックを示すブロック図
【図７】管理サーバ１９０の主要機能ブロックを示すブロック図
【図８】対応表のデータ構成図
【図９】実施の形態１に係る設備制御システムで用いられる通信信号のデータ構成図
【図１０】紐付け信号送信処理を示すフローチャート
【図１１】設備登録信号送信処理を示すフローチャート
【図１２】紐付け処理を示すフローチャート
【図１３】コピー処理を示すフローチャート
【図１４】無線スイッチ信号送信処理を示すフローチャート
【図１５】有線スイッチ信号送信処理を示すフローチャート
【図１６】照明制御処理を示すフローチャート
【図１７】第１変形読取装置１７００の主要機能を示すブロック図
【図１８】第１変形照明１８００の主要機能を示すブロック図
【図１９】第２変形読取装置１９００の主要機能を示すブロック図
【図２０】第２変形照明２０００の主要機能を示すブロック図
【発明を実施するための形態】
【００１１】
＜実施の形態１＞
＜概要＞
以下、本発明に係る設備制御システムの一実施形態として、タグからタグ識別情報を読み取る複数の読取装置と、照明で代表される複数の設備と、読取装置識別情報とタグ識別情報と設備識別情報とを対応付けて記憶する管理サーバとが建物内に配置され、読取装置が読み取ったタグ識別情報が管理サーバに記憶されているタグ識別情報と一致する場合に、その読取装置に対応付けられている設備を制御する設備制御システムについて説明する。
【００１２】
この設備制御システムにおいて、それぞれの読取装置は、タグからタグ識別情報を受信する機能に加えて、設備から設備識別情報を受信する機能と、受信したタグ識別情報と受信した設備識別情報と自装置の読取装置識別情報とを管理サーバに送信する機能とを有し、管理サーバは、読取装置からタグ識別情報と設備識別情報と読取装置識別情報を受信すると、それらの識別情報を関連付けて記憶する機能を有する。
【００１３】
＜構成＞
＜全体構成＞
以下、本実施の形態に係る設備制御システムの全体構成について、図面を参照しながら説明する。
図１は、実施の形態１に係る設備制御システムが運用されている建物の平面図である。
【００１４】
この建物は、居室Ａ１８１と、居室Ｂ１８２と、管理室１８３と、廊下１８４とからなり、オフィスとして利用されている。
読取装置１０１〜読取装置１１２のそれぞれは、読取装置ネットワーク１３２（図１中の破線）と接続し、読取装置ネットワーク１３２を介して管理サーバ１９０と通信する。読取装置１０１〜読取装置１０６は、それぞれ、居室Ａ１８１内の机１４１〜机１４６上に設置され、読取装置１０７〜読取装置１１２は、それぞれ、居室Ｂ１８２内の机１４７〜机１５２上に設置されている。
【００１５】
照明スイッチ１６１と照明スイッチ１６２とは、設備ネットワーク１３１（図１中の破線）と接続する。照明スイッチ１６１は、居室Ａ１８１内の壁に設置され、設備ネットワーク１３１を介して居室Ａ１８１内の照明１２１〜照明１２４を点消灯するものであり、照明スイッチ１６２は、居室Ｂ１８２内に設置され、設備ネットワーク１３１を介して居室Ｂ１８２内の照明１２５〜照明１２８を点消灯するものである。
【００１６】
管理サーバ１９０は、読取装置ネットワーク１３２と接続し、管理室１８３に配置されている。
以下、実施の形態１に係る設備制御システムを構成する構成要素のそれぞれについて、図面を用いて詳細に説明する。
＜読取装置＞
読取装置は、ＣＰＵ（Central Processing Unit）、ＲＡＭ（Random Access Memory）、ＲＯＭ（Read Only Memory）、不揮発性メモリ、変復調器、ミキサ、増幅回路、アンテナ、フォトダイオード、ネットワーク信号送受信器等を内蔵し、ＣＰＵが、ＲＡＭ、ＲＯＭ、又は不揮発性メモリに記憶されているプログラムを実行することで、様々な機能を実現する。
【００１７】
ここで、不揮発性メモリとは、電源を供給しなくても記憶を保持するメモリのうち、１度以上書き込みを行うことができるメモリのことをいう。
読取装置の主要な機能は、（１）登録モードでない期間に、例えば登録ボタン２１２が押下されるといった第１所定操作を受け付けると、モードを登録モードとし、登録モードの期間に所定の処理を終了すると、モードを登録モード以外のモードとする機能と、（２）登録モードの期間に、タグからタグ識別情報を読み取り、設備から設備識別情報を読み取って、読み取ったタグ識別情報と設備識別情報と自装置の読取装置識別情報とから紐付け信号（後述）を作成して送信する機能と、（３）登録モードでない期間に、例えば登録ボタン２１２の５秒間連続押下といった第２所定操作を受け付けると、複製元信号（後述）を作成して送信する機能と、（４）登録モードでない期間に、例えば登録ボタン２１２のダブルクリック後の５秒間連続押下第３所定操作を受け付けると、複製先信号（後述）を作成して送信する機能と、（５）登録モードでない期間に、タグからタグ識別情報を読み取り、読み取ったタグ識別情報と自装置の読取装置識別情報とからタグ確認信号（後述）を作成して送信する機能と、（６）登録モードでない期間に有線スイッチ信号（後述）を受信すると、無線スイッチ信号（後述）を作成して送信する機能とである。ここで機器とは照明のことをいう。
【００１８】
図２は、読取装置２００の主要機能ブロックを示すブロック図である。
読取装置２００は、有線送受信部２１１と、登録ボタン２１２と、記憶部２１４と、タイマ２１５と、ＬＦ帯送信部２２１と、ＬＦ帯アンテナ２２２と、ＵＨＦ帯送受信部２２３と、ＵＨＦ帯アンテナ２２４と、可視光通信信号受信部２２５と、フォトダイオード２２６と、読取装置制御部２１０とから構成される。
【００１９】
有線送受信部２１１は、ＣＰＵによって制御されるネットワーク信号送受信器からなり、読取装置制御部２１０と読取装置ネットワーク１３２とに接続し、読取装置ネットワーク１３２を介して管理サーバ１９０と通信する機能を有する。
登録ボタン２１２は、読取装置制御部２１０と接続し、ユーザからの押下を受け付ける機能を有する。
【００２０】
記憶部２１４は、ＣＰＵによって制御されるＲＡＭと不揮発性メモリからなり、読取装置制御部２１０と接続し、読取装置２００の製造時に、自装置の読取装置識別情報が記憶され、自装置が建物内に設置される時に管理サーバ１９０の管理サーバ識別情報が記憶され、一時的にタグ識別情報と設備識別情報とを記憶する機能を有する。
タイマ２１５は、読取装置制御部２１０と接続し、読取装置制御部２１０からの制御信号に基づいて、時間の経過を計測する機能を有する。
【００２１】
ＬＦ帯送信部２２１は、ＣＰＵによって制御される変調器からなり、読取装置制御部２１０とＬＦ帯アンテナ２２２とに接続し、読取装置制御部２１０から送られてきた信号をＬＦ帯の信号に変調してＬＦ帯アンテナ２２２から外部に送信する機能と、送信する信号の電界強度を変更する機能を有する。
ＵＨＦ帯送受信部２２３は、ＣＰＵによって制御される変復調器、ミキサ、増幅回路等からなり、読取装置制御部２１０とＵＨＦ帯アンテナ２２４とに接続し、ＵＨＦ帯アンテナ２２４が受信したＵＨＦ帯の信号を復調、増幅、ダウンコンバートし、復調した信号を読取装置制御部２１０に送る機能と、読取装置制御部２１０から送られてきた信号をＵＨＦ帯の信号に変調、アップコンバート、増幅してＵＨＦ帯アンテナ２２４から外部に送信する機能とを有する。
【００２２】
フォトダイオード２２６は、可視光通信信号受信部２２５と接続し、光を受光すると、その光の照度に応じた電気信号を生成する機能を有する。
可視光通信信号受信部２２５は、ＣＰＵによって制御される復調器からなり、読取装置制御部２１０とフォトダイオード２２６とに接続し、フォトダイオード２２６が生成した電気信号を復調し、復調した信号を読取装置制御部２１０に送る機能を有する。
【００２３】
読取装置制御部２１０は、ＣＰＵがプログラムを実行することによって機能的に実現され、有線送受信部２１１と登録ボタン２１２と記憶部２１４とタイマ２１５とＬＦ帯送信部２２１とＵＨＦ帯送受信部２２３と可視光通信信号受信部２２５とに接続し、以下の機能を有する。
機能１：登録モードでないモードである認証モードの期間中に登録ボタン２１２がユーザから第１所定操作を受け付けると、読取装置２００のモードを認証モードから登録モードに切り替えてＬＦ帯送信部２２１にタグ質問信号（後述）を第１電界強度（後述）で送信させる機能。
【００２４】
機能２：ＬＦ帯送信部２２１にタグ質問信号を送信させてから所定時間Ｔ１（例えば１分）以内に、ＵＨＦ帯送受信部２２３がタグからタグ応答信号（後述）を受信した場合、又は、可視光通信信号受信部２２５が照明から設備登録信号（後述）を受信した場合に、紐付け信号（後述）を生成し、有線送受信部２１１に紐付け信号を送信させ、モードを認証モードに切り替える機能。
【００２５】
機能３：認証モードの期間中に登録ボタン２１２がユーザから第２所定操作を受け付けると、有線送受信部２１１に複製元信号を送信させる機能。
機能４：認証モードの期間中に登録ボタン２１２がユーザから第３所定操作を受け付けると、有線送受信部２１１に複製先信号を送信させる機能。
機能５：認証モードの期間中に、所定時間Ｔ２（例えば１秒）毎にＬＦ帯送信部２２１にタグ質問信号を第１電界強度よりも電界強度の高い第２電界強度（後述）を繰り返し送信させる機能。
【００２６】
機能６：認証モードの期間中に、ＵＨＦ帯送受信部２２３がタグからタグ応答信号を受信した場合に、有線送受信部２１１にタグ確認信号を送信させる機能。
機能７：認証モードの期間中に、有線送受信部２１１が管理サーバ１９０から有線スイッチ信号を受信した場合に、無線スイッチ信号を生成し、ＵＨＦ帯送受信部２２３に無線スイッチ信号を送信させる機能。
【００２７】
ここで、上述の第１電界強度と第２電界強度とについて、以下図面を用いて説明する。
図３は、読取装置２００によって送信されたタグ質問信号が、タグによって受信される範囲を示す図である。
第１タグ質問信号受信可能範囲３０１は、ＬＦ帯送信部２２１がタグ質問信号を第１電界強度で送信した場合において、タグによってタグ質問信号が受信される範囲である。
【００２８】
第２タグ質問信号受信可能範囲３０２は、ＬＦ帯送信部２２１がタグ質問信号を第２電界強度で送信した場合において、タグによってタグ質問信号が受信される範囲である。
同図に示されるように、第１電界強度は、第１質問信号受信可能範囲３０１が読取装置２００を中心として半径１．５ｍの範囲となるように、その電界強度が設定されていて、第２電界強度は、第２質問信号受信可能範囲３０２が読取装置２００を中心として半径３ｍの範囲となるように設定されている。
【００２９】
＜タグ＞
タグは、ＣＰＵ、ＲＡＭ、ＲＯＭ、変復調器、アンテナ、ミキサ、増幅回路、電池等を内蔵し、内蔵する電池を電源として動作し、ＣＰＵが、ＲＡＭ又はＲＯＭに記憶されているプログラムを実行することで、様々な機能を実現する。
タグの主要な機能は、読取装置２００からタグ質問信号を受信すると、自装置のタグ識別情報を含むタグ応答信号を送信するタグ応答機能である。
【００３０】
図４は、タグ４００の主要機能ブロックを示すブロック図である。
タグ４００は、ボタン４１１と、記憶部４１３と、ＬＦ帯受信部４２１と、ＬＦ帯アンテナ４２２と、ＵＨＦ帯送信部４３１と、ＵＨＦ帯アンテナ４３２と、タグ制御部４１０と、電池４４０とから構成される。
ボタン４１１は、タグ制御部４１０と接続し、ユーザからの押下を受け付ける機能を有する。
【００３１】
記憶部４１３は、ＣＰＵによって制御されるＲＯＭからなり、タグ制御部４１０と接続し、自装置のタグ識別情報を記憶する。
ＬＦ帯受信部４２１は、ＣＰＵによって制御される復調器からなり、タグ制御部４１０とＬＦ帯アンテナ４２２と接続し、ＬＦ帯アンテナ４２２が受信したＬＦ帯の信号を復調し、復調した信号をタグ制御部４１０に送る機能を有する。
【００３２】
ＵＨＦ帯送信部４３１は、ＣＰＵによって制御される変調器、ミキサ、増幅回路等からなり、タグ制御部４１０とＵＨＦ帯アンテナ４３２と接続し、タグ制御部４１０から送られてきた信号をＵＨＦ帯の信号に変調、アップコンバート、増幅してＵＨＦ帯アンテナ４３２から外部に送信する機能を有する。
ＵＨＦ帯送信部４３１の送信するＵＨＦ帯の信号の到達距離は、ここでは例えば１５ｍである。
【００３３】
電池４４０は、タグを構成する部品に電力を供給する機能を有する。
タグ制御部４１０は、ＣＰＵがプログラムを実行することによって機能的に実現され、ボタン４１１と記憶部４１３とＬＦ帯受信部４２１とＵＨＦ帯送信部４３１とに接続し、ＬＦ帯受信部４２１からタグ質問信号を受信した場合に、記憶部４１３に記憶されている自装置のタグ識別情報を含めたタグ応答信号を作成し、ＵＨＦ帯送信部４３１にタグ応答信号を送信させる機能を有する。
【００３４】
＜照明スイッチ＞
照明スイッチは、照明の点消灯を行うスイッチであって、ＣＰＵ、ＲＡＭ、ＲＯＭ、ネットワーク信号送信器、復調器、ミキサ、増幅回路、アンテナ等を内蔵し、ユーザの操作に応じて照明の点消灯を行う機能に加えて、ＣＰＵが、ＲＡＭ又はＲＯＭに記憶されているプログラムを実行することで、（１）読取装置から無線スイッチ信号を受信すると、照明の点灯状況に応じて、照明の点灯、又は消灯を行う照明操作機能と、（２）ユーザから所定の操作を受け付けると、照明に設備識別情報を送信させる機能とを実現する。
【００３５】
図５は、照明スイッチの主要機能ブロックを示すブロック図である。
照明スイッチ５００は、ＵＨＦ帯受信部５２１と、ＵＨＦ帯アンテナ５２２と、有線送信部５３１と、照明操作部５１１と、記憶部５１２と、タイマ５１５と、照明スイッチ制御部５１０とから構成される。
ＵＨＦ帯受信部５２１は、ＣＰＵによって制御される復調器、ミキサ、増幅回路等からなり、照明スイッチ制御部５１０とＵＨＦ帯アンテナ５２２とに接続し、ＵＨＦ帯アンテナ５２２が受信したＵＨＦ帯の信号を復調、増幅、ダウンコンバートし、復調した信号を照明スイッチ制御部５１０に送る機能を有する。
【００３６】
有線送信部５３１は、ＣＰＵによって制御されるネットワーク信号送信器からなり、照明スイッチ制御部５１０と設備ネットワーク１３１とに接続し、照明スイッチ制御部５１０から送られた信号を設備ネットワーク１３１上に送信する機能を有する。
照明操作部５１１は、照明スイッチ制御部５１０と接続し、ユーザから（１）照明を点灯する旨の操作と（２）照明を消灯する旨の操作と（３）照明に設備識別信号を送信させる旨の操作とを受け付け、受け付けた操作に応じた信号を、照明スイッチ制御部５１０に出力する機能を有する。
【００３７】
記憶部５１２は、ＣＰＵによって制御される不揮発性メモリからなり、照明スイッチ制御部５１０と接続し、自装置が建物内に設置される時に、点消灯の対象となる照明の設備識別情報を記憶され、照明を点灯させているか否かを記憶する機能を有する。
タイマ５１５は、照明スイッチ制御部５１０と接続し、照明スイッチ制御部５１０からの制御信号に基づいて、時間の経過を計測する機能を有する。
【００３８】
照明スイッチ制御部５１０は、ＣＰＵがプログラムを実行することによって機能的に実現され、ＵＨＦ帯受信部５２１と有線送信部５３１と照明操作部５１１と記憶部５１２とタイマ５１５とに接続し、以下の機能を有する。
機能１：照明操作部５１１が照明を点灯する旨の操作を受け付けた場合、又は、照明操作部５１１が照明を消灯する旨の操作を受け付けた場合に、有線送信部５３１に設備制御信号（後述）を送信させる機能。
【００３９】
機能２：照明操作部５１１が照明に設備信号を送信させる旨の操作を受け付けた場合に、有線送信部５３１に設備登録信号（後述）を送信させる機能。
機能３：ＵＨＦ帯受信部５２１が無線スイッチ信号を受信した場合に、有線送信部５３１に設備制御信号を送信させる機能。
＜照明＞
照明は、ＬＥＤ（Light Emitting Diode）、ＣＰＵ、ＲＡＭ、ＲＯＭ、ネットワーク信号受信器、電流供給回路、変復調器等を内蔵し、ＣＰＵが、ＲＡＭ又はＲＯＭに記憶されているプログラムを実行することで、（１）有線受信部６３１が照明スイッチ５００から設備制御信号を受信すると、受信した設備制御信号に応じて、ＬＥＤを点灯又は、消灯させる機能と、（２）有線受信部６３１が照明スイッチ５００から設備登録信号を受信すると、ＬＥＤの発する光に設備登録信号を重畳させる機能とを有する。
【００４０】
照明６００は、有線受信部６３１と、信号重畳部６２１と、ＬＥＤ６２２と、記憶部６２３と、照明制御部６１０とから構成される。
ＬＥＤ６２２は、供給される電流に応じた光度の光を発光するＬＥＤである。
有線受信部６３１は、ＣＰＵによって制御されるネットワーク信号受信器からなり、照明制御部６１０と設備ネットワーク１３１とに接続し、設備ネットワーク１３１を介して送信された信号を受信し、受信した信号を照明制御部６１０に送る機能を有する。
【００４１】
記憶部６２３は、ＣＰＵによって制御されるＲＯＭからなり、照明制御部６１０と接続し、自装置の設備識別情報を記憶する。
信号重畳部６２１は、ＣＰＵによって制御される変調器からなり、照明制御部６１０と接続し、照明制御部６１０がＬＥＤに供給する電流に、照明制御部６１０から送られる信号を重畳させる機能を有する。
【００４２】
照明制御部６１０は、電流供給回路を含み、ＣＰＵがプログラムを実行することによって機能的に実現され、有線受信部６３１と信号重畳部６２１とＬＥＤ６２２と記憶部６２３とに接続し、以下の機能を有する。
機能１：有線受信部６３１が照明スイッチ５００から設備制御信号を受信した場合に、設備制御信号に含まれる設備制御情報（後述）に応じて、ＬＥＤ６２２への電流の供給を開始する又は、ＬＥＤ６２２への電流の供給を停止する機能。
【００４３】
機能２：有線受信部６３１が照明スイッチ５００から設備登録信号を受信した場合に、信号重畳部６２１を用いて、受信した設備登録信号をＬＥＤ６２２に供給する電流に重畳させる機能。
＜管理サーバ＞
管理サーバ１９０は、読取装置とタグと照明との対応関係を管理するコンピュータであって、ＣＰＵ、ＲＡＭ、ＲＯＭ、ハードディスク、入出力装置、ネットワーク信号送受信器等を内蔵し、ＣＰＵが、ＲＯＭ、ＲＡＭ、又はハードディスクに記録されているプログラムを実行することで様々な機能を実現する。
【００４４】
管理サーバ１９０の主な機能は、（１）読取装置から紐付け信号を受信すると、紐付け信号に含まれている読取装置識別情報とタグ識別情報と設備識別情報とを対応付けて記憶する機能と、（２）２つの読取装置から、それぞれ複製元信号と複製先信号とを受信すると、複製元信号に含まれる読取装置識別情報と対応付けられているタグ識別情報と設備識別情報とを、複製先識別情報に含まれる読取装置識別情報と対応付けて記憶する機能と、（３）読取装置からタグ確認信号を受信すると、有線スイッチ信号を作成して送信する機能とである。
【００４５】
図７は、管理サーバ１９０の主要機能ブロックを示すブロック図である。
管理サーバ１９０は、送受信部７２０と、記憶部７３０と、入力部７４０と、出力部７５０と、タイマ７６０と、管理サーバ制御部７１０とから構成される。
送受信部７２０は、ＣＰＵによって制御されるネットワーク信号送受信器からなり、管理サーバ制御部７１０と読取装置ネットワーク１３２とに接続し、読取装置ネットワーク１３２を介して送信された信号を受信し、受信した信号を管理サーバ制御部７１０に送る機能を有する。
【００４６】
記憶部７３０は、ＣＰＵによって制御されるＲＡＭからなり、管理サーバ制御部７１０と接続し、自装置のサーバ識別情報と対応表とを記憶する。
図８は、記憶部７３０が記憶する対応表のデータ構成図である。
この対応表は、読取装置識別情報とタグ識別情報と設備識別情報と更新日付情報とを対応付けているものである。
【００４７】
ここで、更新日付情報とは、読取装置識別情報とタグ識別情報と設備識別情報との対応関係が更新された日付である。
この対応表では、例えば、読取装置識別情報“１０１”は、タグ識別情報“００１”、“００３”、“００７”、“０１０”と、設備識別情報“１２１”、“１２２”、“１２３”、“１２４”と、更新日付情報“２０１０．０１．２２”とが対応付けられている。
【００４８】
なお、本実施の形態１では、説明の便宜上、読取装置識別情報は、図１で読取装置の符号と一致するものとし、設備識別情報は、図１で照明の符号に振られている数字と一致するものとしている。
例えば、読取装置識別情報“１０１”は、図１中の読取装置１０１を識別するものであり、設備識別情報“１２１”は、図１中の照明１２１を識別するものである。
【００４９】
再び図７に戻って、管理サーバ１９０の説明を続ける。
入力部７４０は、管理サーバ制御部７１０と接続し、キーボードや光ディスク読取装置等で構成され、キーボードや光ディスク読取装置等を介してユーザからの入力を受け付け、受け付けた入力に対応する信号を管理サーバ制御部７１０に送る機能を有する。
出力部７５０は、管理サーバ制御部７１０と接続し、ディスプレイや光ディスク書込装置等で構成され、管理サーバ制御部７１０から送られた信号を、ディスプレイや光ディスク書込装置等を介して出力する機能を有する。
【００５０】
タイマ７６０は、管理サーバ制御部７１０と接続し、管理サーバ制御部７１０からの制御信号に基づいて、時間の経過を計測する機能を有する。
管理サーバ制御部７１０は、ＣＰＵがプログラムを実行することによって機能的に実現され、送受信部８２０と記憶部８３０と入力部８４０と出力部８５０とに接続し、以下の機能を有する。
【００５１】
機能１：送受信部７２０が読取装置から紐付け信号を受信した場合に、紐付け信号に含まれる読取装置識別情報と、タグ識別情報と、設備識別情報と、紐付け信号を受信した日付とを対応付けて記憶部７３０に記憶させる機能。
機能２：送受信部７２０が２つの読取装置から所定時間差Ｔ４内に複製元信号と複製先信号とを受信した場合に、複製元信号に含まれる読取装置識別情報と対応付けられて記憶部７３０に記憶されているタグ識別情報と設備識別情報とを読み出し、複製先信号に含まれる読取装置識別情報と、読み出したタグ識別情報と、読み出したタグ識別情報と、複製先信号を受信した日付とを対応付けて記憶部７３０に記憶させる機能。
【００５２】
機能３：送受信部７２０が読取装置からタグ確認信号を受信した場合に、有線スイッチ信号を生成し、送受信部７２０に有線スイッチ信号を送信させる機能。
＜通信信号＞
以下、実施の形態１に係る設備制御システムで用いられる通信信号のそれぞれについて図面を用いて詳細に説明する。
【００５３】
図９（ａ）は、読取装置２００から送信されるタグ質問信号のデータ構成図である。
同図に示されるように、タグ質問信号は、ＰＲ（PReamble）９０１と読取装置識別情報９１１とＣＲＣ（Cyclic Redundancy Check）情報９０２とから構成される。
ＰＲ９０１は、通信信号の始まりを示す同期信号であり、ＣＲＣ情報９０２は、通信信号の誤り検出に用いる信号である。
【００５４】
読取装置識別情報９１１は、タグ質問信号を送信した読取装置の読取装置識別情報である。
図９（ｂ）は、タグ４００から送信されるタグ応答信号のデータ構成図である。
同図に示されるように、タグ応答信号は、ＰＲ９０１と読取装置識別情報９２１とタグ識別情報９２２とＣＲＣ情報９０２とから構成される。
【００５５】
読取装置識別情報９２１は、タグ応答信号の送信に先立って、タグによって受信されたタグ質問信号に含まれていた読取装置識別情報である。
タグ識別情報９２２は、タグ応答信号を送信したタグのタグ識別情報である。
図９（ｃ）は、照明スイッチ５００又は、照明６００から送信される設備登録信号のデータ構成図である。
【００５６】
同図に示されるように、設備登録信号は、ＰＲ９０１と設備識別情報９２６とＣＲＣ情報９０２とから構成される。
設備登録信号の設備識別情報９２６は、送信先の照明の設備識別情報である。
図９（ｄ）は、読取装置２００から送信される紐付け信号のデータ構成図である。
同図に示されるように、紐付け信号は、ＰＲ９０１と管理サーバ識別情報９３１と読取装置識別情報９３２と０個以上のタグ識別情報と０個以上の設備識別情報とＣＲＣ情報９０２とから構成される。
【００５７】
管理サーバ識別情報９３１は、送信先の管理サーバの管理サーバ識別情報である。
読取装置識別情報９３２は、紐付け信号を送信した読取装置の読取装置識別情報である。
０個以上のタグ識別情報は、紐付け信号の送信に先立って、読取装置によって受信されたタグ応答信号に含まれていたタグ識別情報である。
【００５８】
０個以上の設備識別情報は、紐付け信号の送信に先立って、読取装置によって受信された設備登録信号に含まれていた設備識別情報である。
図９（ｅ）は、読取装置２００から送信される複製元信号のデータ構成図である。
同図に示されているように、複製元信号は、ＰＲ９０１と管理サーバ識別情報９４１と読取装置識別情報９４２とＣＲＣ情報９０２とから構成される。
【００５９】
管理サーバ識別情報９４１は、送信先の管理サーバの管理サーバ識別情報である。
読取装置識別情報９４２は、複製元信号を送信した読取装置の読取装置識別情報である。
図９（ｆ）は、読取装置２００から送信される複製先信号のデータ構成図である。
同図に示されているように、複製先信号は、ＰＲ９０１と管理サーバ識別情報９５１と読取装置識別情報９５２とＣＲＣ情報９０２とから構成される。
【００６０】
管理サーバ識別情報９５１は、送信先の管理サーバの管理サーバ識別情報である。
読取装置識別情報９５２は、複製先信号を送信した読取装置の読取装置識別情報である。
図９（ｇ）は、読取装置２００から送信されるタグ確認信号のデータ構成図である。
同図に示されているように、タグ確認信号は、ＰＲ９０１と管理サーバ識別情報９６１と読取装置識別情報９６２とタグ識別情報９６３とＣＲＣ情報９０２とから構成される。
【００６１】
管理サーバ識別情報９６１は、送信先の管理サーバの管理サーバ識別情報である。
読取装置識別情報９６２は、タグ確認信号を送信した読取装置の読取装置識別情報である。
タグ識別情報９６３は、タグ確認信号の送信に先立って、読取装置によって受信されたタグ応答信号に含まれていたタグ識別情報である。
【００６２】
図９（ｈ）は、管理サーバ１９０から送信される有線スイッチ信号のデータ構成図である。
同図に示されているように、有線スイッチ信号は、ＰＲ９０１と読取装置識別情報９７１と１個以上の設備識別情報とＣＲＣ情報９０２とから構成される。
読取装置識別情報９７１は、送信先の読取装置の読取装置識別情報である。
【００６３】
１個以上の設備識別情報は、有線スイッチ信号の送信に先立って、管理サーバによって受信されたタグ確認信号に含まれていた読取装置識別情報９６２と対応付けられて記憶部７３０に記憶されている設備識別情報である。
図９（ｉ）は、読取装置２００から送信される無線スイッチ信号のデータ構成図である。
【００６４】
同図に示されているように、無線スイッチ信号は、ＰＲ９０１と１個以上の設備識別情報とＣＲＣ情報９０２とから構成される。
１個以上の設備識別情報は、無線スイッチ信号の送信に先立って、読取装置によって受信された有線スイッチ信号に含まれていた１個以上の設備識別情報である。
図９（ｊ）は、照明スイッチ５００から送信される設備制御信号のデータ構成図である。
【００６５】
同図に示されているように、設備制御信号は、ＰＲ９０１と設備識別情報９９１と設備制御情報９９２とＣＲＣ情報９０２とから構成される。
設備識別情報９９１は、送信先の照明の設備識別情報である。
設備制御情報９９２は、照明を点消灯させるための情報であって、点灯させる旨の情報と消灯される旨の情報とのいずれか一方の情報である。
【００６６】
＜動作＞
以下、上記構成を備える実施の形態１に係る設備制御システムの動作を説明する。
実施の形態１に係る設備制御システムの行う主な動作には、（１）読取装置２００とタグ４００と管理サーバ１９０と照明スイッチ５００と照明６００とを用いて行う登録処理と、（２）読取装置２００と管理サーバとを用いて行う複製処理と、（３）読取装置２００とタグ４００と管理サーバ１９０とを用いて行うタグ認証処理と、（４）照明スイッチ５００と照明６００とを用いて行う照明制御処理との３つの動作がある。
【００６７】
以下、各処理について、順にフローチャートを用いて説明する。
＜登録処理＞
登録処理とは、読取装置２００が、タグ４００からタグ識別情報と、照明６００から設備識別情報とを読み取り、読み取ったタグ識別情報と設備識別情報と自装置の読取装置識別情報とを管理サーバ１９０に送信し、管理サーバ１９０が、それらの識別情報を対応付けて記憶するという処理である。
【００６８】
図１０は、登録処理における、読取装置２００の行う読み取り処理を示すフローチャートである。
読取装置２００による読み取り処理は、登録ボタン２１２が押下されることによってその処理を開始する。この登録ボタン２１２の押下は、前述の第１所定操作に対応する操作の具体例の一つである。
【００６９】
読取装置２００は、通常は、モードが認証モードとなっている。
読取装置２００は、認証モードの期間中に登録ボタン２１２を押下されると（ステップＳ１０００）、モードを登録モードに設定して（ステップＳ１００５）タイマ２１５を起動させ、記憶部２１４に記憶されている自装置の読取装置識別信号を含むタグ質問信号を生成して送信する（ステップＳ１０１０）。
【００７０】
読取装置２００から送信される、登録モードにおけるタグ識別情報を受信することができる範囲（例えば読取装置から１．５ｍ以内）のタグは、タグ質問信号を受信すると、タグ質問信号に含まれている読取装置識別情報と、自装置の記憶部４１３に記憶されているタグ識別信号とを含むタグ応答信号を生成して送信する。
読取装置２００は、タイマ２１５起動後所定時間Ｔ３（例えば１０分）経過するまでに、タグからタグ応答信号を受信すると（ステップＳ１０１５：Ｙｅｓ）、タグ応答信号に含まれる読取装置識別信号と記憶部２１４に記憶されている自装置の読取装置識別信号とが一致するか否かを調べる（ステップＳ１０２０）。
【００７１】
ステップＳ１０２０において両者が一致する場合（ステップＳ１０２０：Ｙｅｓ）に、読取装置２００は、タグ応答信号に含まれるタグ識別情報を記憶部２１４に一時的に記憶する（ステップＳ１０２５）。
ステップＳ１０１５においてタグ応答信号を受信しない場合（ステップＳ１０１５：Ｎｏ）、ステップＳ１０２０において両者が一致しない場合（ステップＳ１０２０：Ｎｏ）には、読取装置２００は何も記憶しない。
【００７２】
読取装置２００は、タイマ２１５起動後所定時間Ｔ３（例えば１０分）経過するまでに、照明光に重畳されている設備登録信号を受信すると（ステップＳ１０３０：Ｙｅｓ）、設備登録信号に含まれる設備識別情報を記憶部２１４に一時的に記憶する（ステップＳ１０３５）。
なお、照明光に設備登録信号が重畳されるのは、照明スイッチ５００と照明６００とが設備登録信号送信処理を実行する場合であるが、詳細については後述する。
【００７３】
ステップＳ１０３０において設備登録信号を受信しない場合（ステップＳ１０３０：Ｎｏ）には、読取装置２００は何も記憶しない。
読取装置２００は、タイマ２１５起動後所定時間Ｔ３（例えば１０分）以内の期間は（ステップＳ１０４０：Ｎｏ）、ステップＳ１０１５〜ステップＳ１０４０：Ｎｏの処理を繰り返し、タイマ２１５起動後所定時間Ｔ３（例えば１０分）経過すると（ステップＳ１０４０：Ｙｅｓ）、タイマ２１５起動時から所定時間Ｔ３経過時までの期間にタグ応答信号又は、設備登録信号を受信したか否かを調べる（ステップＳ１０４５）。
【００７４】
ステップＳ１０４５において、タグ応答信号又は、設備登録信号を受信した場合に（ステップＳ１０４５：Ｙｅｓ）、読取装置２００は、記憶部２１４に記憶されている管理サーバ識別情報と、記憶部２１４に記憶されている自装置の読取装置識別情報と、記憶部２１４に一時的に記憶されているタグ識別情報と、記憶部２１４に一時的に記憶されている設備識別情報とを用いて紐付け信号を生成して（ステップＳ１０５０）、読取装置ネットワーク１３２を介して管理サーバ１９０に送信する（ステップＳ１０５５）。
【００７５】
ステップＳ１０５５の処理が終了した場合又は、ステップＳ１０４５において、タグ応答信号又は、設備登録信号を受信しなかった場合（ステップＳ１０４５：Ｎｏ）には、読取装置２００は、モードを認証モードに設定して（ステップＳ１０６０）、その読み取り処理を終了する。
図１１は、登録処理における、照明スイッチ５００と照明６００とが行う設備登録信号送信処理を示すフローチャートである。
【００７６】
照明スイッチ５００と照明６００とが行う設備登録信号送信処理は、照明操作部５１１が所定の操作（例えば照明操作部５１１のボタンがダブルクリックされる操作）を受け付けることによって、その処理を開始する。
照明スイッチ５００は、照明操作部５１１のボタンがダブルクリックされると（ステップＳ１１００）、記憶部５１２に記憶している設備登録情報を含む設備登録信号を、記憶する設備登録情報毎に生成し、生成したこれらの設備登録信号を設備ネットワーク１３１上に送信する（ステップＳ１１１０）。
【００７７】
照明６００は、設備登録信号を受信すると（ステップＳ１１２０）、設備登録信号に含まれる設備識別情報と記憶部６２３に記憶されている自装置の設備識別情報とが一致するか否かを調べる（ステップＳ１１３０）。
ステップＳ１１３０において両者が一致する場合（ステップＳ１１３０：Ｙｅｓ）に、照明６００は、ＬＥＤ６２２から設備登録信号を重畳させた光を発光する（ステップＳ１１４０）。
【００７８】
ステップＳ１１４０の処理が終了した場合とステップＳ１１３０において両者が一致しない場合（ステップＳ１１３０：Ｎｏ）とに、照明スイッチ５００と照明６００とが行う設備登録信号送信処理は終了する。
図１２は、登録処理における、管理サーバ１９０の行う紐付け処理を示すフローチャートである。
【００７９】
管理サーバ１９０による紐付け処理は、管理サーバ１９０が紐付け信号を受信することによってその処理を開始する。
管理サーバ１９０は、紐付け信号を受信すると（ステップＳ１２００）、紐付け信号に含まれる管理サーバ識別情報と、記憶部７３０に記憶されている自装置の管理サーバ識別情報とが一致するか否かを調べる（ステップＳ１２１０）。
【００８０】
ステップＳ１２１０において両者が一致する場合（ステップＳ１２１０：Ｙｅｓ）に、管理サーバ１９０は、紐付け信号に含まれる読取装置識別情報が、記憶部７３０に記憶される対応表に含まれているか否かを調べる（ステップＳ１２２０）。
ステップＳ１２２０において対応表に含まれている場合（ステップＳ１２２０：Ｙｅｓ）に、管理サーバ１９０は、該当する読取装置識別情報に対応付けられている更新日付情報の示す日付を調べる（ステップＳ１２３０）。
【００８１】
ステップＳ１２２０において更新日付情報の示す日付が今日の日付である場合（ステップＳ１２３０：Ｙｅｓ）に、管理サーバ１９０は、該当する読取装置識別情報に対応付けられている更新日付情報を今日の日付とし、紐付け信号に含まれているタグ識別情報を、該当する読取装置識別情報に対応付けられているタグ識別情報群に加え、紐付け信号に含まれている設備識別情報を、該当する読取装置識別情報に対応付けられている設備識別情報群に加えて、対応表を更新する（ステップＳ１２４０）。
【００８２】
ステップＳ１２２０において対応表に含まれていない場合（ステップＳ１２２０：Ｎｏ）と、ステップＳ１２３０において今日の日付でない場合（ステップＳ１２３０：Ｎｏ）とに、管理サーバ１９０は、紐付け信号に含まれる読取装置識別情報とタグ識別情報と設備識別情報と紐付け信号を受信した日付とを対応付けて対応表に追加する（ステップＳ１２５０）。
【００８３】
ステップＳ１２４０の処理が終了した場合と、ステップＳ１２５０の処理が終了した場合とに、管理サーバ１９０は、紐付け処理を終了する。
以下、上述の登録処理について、図１中の読取装置１０１と管理サーバ１９０と照明スイッチ１６１と照明１２１〜照明１２４とを用いて、読取装置１０１の近傍（例えば１．５ｍ以内）にタグ４００を所有するタグ所有者がいる状況で、読取装置１０１の登録ボタン２１２が押下された場合の具体的な動作を説明する。
【００８４】
ここで、管理サーバ１９０の記憶する対応表には、読取装置１０１の読取装置識別情報が含まれていないものとする。
読取装置１０１は、登録ボタン２１２がタグ所有者によって押下されると（ステップＳ１０００）、モードを登録モードに設定して（ステップＳ１００５）、自装置の読取装置識別情報である“１０１”を含むタグ質問信号を送信する（ステップＳ１０１０）。
【００８５】
登録モードにおけるタグ質問信号の受信可能範囲（例えば１．５ｍ）内にタグ４００が存在するので、タグ４００はタグ質問信号を受信し、タグ質問信号に含まれている“１０１”という読取装置識別情報と、自装置のタグ識別情報である“４００”とを含むタグ応答信号を生成し、生成したタグ応答信号を、例えば０．１秒後に送信する。
ここで、例えば０．１秒後とは、タグ４００がタグ応答信号の生成に要する時間である。
【００８６】
次に、タグ所有者は、照明スイッチ５００の近傍に移動し、例えば、読取装置１０１の登録ボタン２１２の押下後１分の時刻に、照明スイッチ１６１の照明操作部５１１のボタンをダブルクリック（ステップＳ１１００）する。
照明スイッチ１６１は、照明１２１の設備識別情報を含む設備登録信号と、照明１２２の設備識別情報を含む設備登録信号と、照明１２３の設備識別情報を含む設備登録信号と、照明１２４の設備識別情報を含む設備登録信号とを生成して設備ネットワーク１３１上に送信する（ステップＳ１１１０）。
【００８７】
照明１２１〜照明１２４のそれぞれは、自装置の設備識別情報を含む設備登録信号を受信する（ステップＳ１１２０）と、設備登録信号に含まれる設備識別情報と記憶部６２３に記憶されている設備識別情報とが一致するので（ステップＳ１１３０：Ｙｅｓ）、ＬＥＤ６２２から設備登録信号を重畳させた光を発光する（ステップＳ１１４０）。
読取装置１０１は、タグ質問信号を送信してから所定時間Ｔ３（例えば１０分）以内にタグ応答信号を受信し（ステップＳ１０１５）、タグ応答信号に含まれる“１０１”という読取装置識別情報は、記憶部２１４が記憶する自装置の読取装置識別情報と一致するので（ステップＳ１０２０：Ｙｅｓ）、タグ応答信号に含まれる“４００”というタグ識別情報を一時的に記憶する（ステップＳ１０２５）。
【００８８】
また、読取装置１０１は、タグ質問信号を送信してから所定時間Ｔ３（例えば１０分）以内に４つの設備登録信号を受信する（ステップＳ１０３０：Ｙｅｓ）ので、それら４つの設備登録信号に含まれる４つの設備識別信号である“１２１”、“１２２”、“１２３”、“１２４”を一時的に記憶する（ステップＳ１０３５）。
タグ質問信号送信後所定時間Ｔ３（例えば１０分）経過すると（ステップＳ１０４０：Ｙｅｓ〜ステップＳ１０４５：Ｙｅｓ）、送信先管理サーバ１９０の管理サーバ識別情報である“１９０”と、自装置の読取装置識別情報である“１０１”と、一時的に記憶しているタグ応答信号に含まれるタグ識別情報である“４００”と、一時的に記憶している設備登録信号に含まれる設備識別情報である“１２１”、“１２２”、“１２３”、“１２４”とを含む紐付け信号を生成して（ステップＳ１０５０）、管理サーバ１９０に送信する（ステップＳ１０５５）。
【００８９】
管理サーバ１９０は、紐付け信号を受信すると（ステップＳ１２００）、紐付け信号に含まれる管理サーバ識別情報である“１９０”が、自装置の管理サーバ識別情報と一致し（ステップＳ１２１０：Ｙｅｓ）、紐付け信号に含まれる読取装置識別情報が、記憶する対応表内に存在しないため、紐付け信号に含まれる読取装置識別情報である“１０１”と、紐付け信号に含まれるタグ識別情報である“４００”と、紐付け信号に含まれる設備識別情報である“１２１”、“１２２”、“１２３”、“１２４”と、本日の日付である“２０１０．２．１１”とを対応付けて対応表に追加する。
【００９０】
＜複製処理＞
複製処理とは、読取装置Ａに対応付けられて管理サーバ１９０に記憶されているタグ識別情報と設備識別情報とを、読取装置Ｂに対応付けて管理サーバ１９０に記憶させる処理である。
複製処理は、読取装置Ａの登録ボタン２１２が５秒間連続押下され、読取装置Ｂの登録ボタン２１２がダブルクリック後に５秒間連続押下された場合において、両者の行為の時間差が所定時間Ｔ４（例えば１分）以内であるときに、その処理を開始する。この登録ボタン２１２の５秒間連続押下は前述の第２所定操作に対応する具体例の一つであって、登録ボタン２１２のダブルクリック後の５秒間連続押下は前述の第３所定操作に対応する具体例の一つである。
【００９１】
読取装置Ａは、登録ボタン２１２が５秒間連続押下されると、複製元信号を送信し、読取装置Ｂは、登録ボタン２１２がダブルクリック後に５秒間連続押下されると複製先信号を送信する。
図１３は、複製処理における、管理サーバ１９０が行うコピー処理を示すフローチャートである。
【００９２】
管理サーバ１９０は、タイマ７６０を用いて時間を計測し、複製元信号と複製先信号とを所定時間Ｔ４（例えば１分）以内に受信すると（ステップＳ１３００）、複製元信号に含まれる管理サーバ識別情報が、記憶部７３０に記憶される自装置の管理サーバ識別情報と一致するか否かを調べる（ステップＳ１３１０）。
ステップＳ１３１０において両者が一致する場合（ステップＳ１３１０：Ｙｅｓ）に、管理サーバ１９０は、複製先信号に含まれる管理サーバ識別情報が、記憶部７３０に記憶される自装置の管理サーバ識別情報と一致するか否かを調べる（ステップＳ１３２０）。
【００９３】
ステップＳ１３２０において両者が一致する場合（ステップＳ１３２０：Ｙｅｓ）に、管理サーバ１９０は、複製元信号に含まれる読取装置識別情報が、記憶部７３０に記憶されている対応表に含まれているか否かを調べる（ステップＳ１３３０）。
ステップＳ１３３０において対応表に含まれている場合（ステップＳ１３３０：Ｙｅｓ）に、管理サーバ１９０は、複製先信号に含まれる読取装置識別情報が、記憶部７３０に記憶されている対応表に含まれていないことを確認する（ステップＳ１３４０）。
【００９４】
ステップＳ１３４０において対応表に含まれていない場合（ステップＳ１３４０：Ｙｅｓ）に、管理サーバ１９０は、複製元信号に含まれる読取装置識別情報と対応付けられて記憶部７３０に記憶されているタグ識別情報と設備識別情報とを読み出し、複製先信号に含まれる読取装置識別情報と、読み出したタグ識別情報と、読み出したタグ識別情報と、複製先信号を受信した日付とを対応付けて対応表に追加する（ステップＳ１３５０）。
【００９５】
ステップＳ１３１０において両者が一致しない場合（ステップＳ１３１０：Ｎｏ）と、ステップＳ１３２０において両者が一致しない場合（ステップＳ１３２０：Ｎｏ）と、ステップＳ１３３０において対応表に含まれていない場合（ステップＳ１３３０：Ｎｏ）と、ステップＳ１３４０において対応表に含まれている場合（ステップＳ１３４０：Ｎｏ）と、ステップＳ１３５０の処理を終了した場合とに、管理サーバ１９０は、コピー処理を終了する。
【００９６】
＜認証処理＞
認証処理とは、読取装置２００が、タグ４００からタグ識別情報を読み取り、読取装置２００の読取装置識別情報とタグ４００のタグ識別情報とが、管理サーバ１９０に対応付けられて記憶されているかどうか確認し、確認できた場合には、読取装置２００が照明を制御するための無線スイッチ信号を送信するという処理である。
【００９７】
図１４は、認証処理における読取装置２００が行う無線スイッチ信号送信処理を示すフローチャートである。
無線スイッチ信号送信処理は、読取装置２００が起動されることによってその処理を開始する。
読取装置２００は、電源が投入される等により起動されると、モードを認証モードとして、自装置の記憶部２１４に記憶されている自装置の読取装置識別信号を含むタグ質問信号を生成して送信する（ステップＳ１４００）。
【００９８】
読取装置２００の近傍（例えば３ｍ以内）のタグは、タグ質問信号を受信すると、タグ質問信号に含まれている読取装置識別情報と、自装置の記憶部２１４に記憶されているタグ識別信号とを含むタグ応答信号を生成して送信する。
読取装置２００は、タイマ２１５を用いて時間を計測し、前回タグ質問信号を送信してから所定時間Ｔ５（例えば１秒）以内にタグからタグ応答信号を受信すると（ステップＳ１４１０：Ｙｅｓ）、タグ応答信号に含まれる読取装置識別信号と自装置の読取装置識別信号とが一致するか否かを調べる（ステップＳ１４２０）。
【００９９】
ステップＳ１４２０において両者が一致する場合（ステップＳ１４２０：Ｙｅｓ）に、タグ確認信号を生成して、読取装置ネットワーク１３２を介して管理サーバ１９０にタグ確認信号を送信する（ステップＳ１４３０）。
図１５は、認証処理における管理サーバ１９０が行う有線スイッチ信号送信処理を示すフローチャートである。
【０１００】
管理サーバ１９０は、タグ確認信号を受信すると（ステップＳ１５００）、タグ確認信号に含まれる管理サーバ識別情報と、記憶部７３０に記憶されている自装置の管理サーバ識別情報とが一致するか否かを調べる（ステップＳ１５１０）。
ステップＳ１５１０において両者が一致する場合に（ステップＳ１５１０：Ｙｅｓ）、管理サーバ１９０は、タグ確認信号に含まれる読取装置識別情報とタグ識別情報とが、記憶部７３０に対応付けられて記憶されているか否かを確認する（ステップＳ１５２０）。
【０１０１】
ステップＳ１５２０において対応付けられて記憶されている場合、該当する読取装置識別情報とタグ識別情報との組に対応付けられて記憶部７３０に記憶されている設備識別情報と、タグ確認信号に含まれていた読取装置識別情報とを含む有線スイッチ信号を生成して、読取装置ネットワーク１３２上に送信する（ステップＳ１５３０）。
ステップＳ１５１０において両者が一致しない場合（ステップＳ１５１０：Ｎｏ）と、ステップＳ１４２０において対応付けられて記憶されていない場合（ステップＳ１５２０：Ｎｏ）と、ステップＳ１５３０の処理が終了した場合とに、管理サーバ１９０は有線スイッチ信号送信動作を終了する。
【０１０２】
再び図１４に戻って、読取装置２００が行う無線スイッチ信号送信処理の説明を続ける。
タグ確認信号を送信（ステップＳ１４３０）後、読取装置２００は、タイマ２１５を用いて時間を計測し、前回タグ確認信号を送信してから所定時間Ｔ６（例えば１秒）以内に管理サーバ１９０から有線スイッチ信号を受信するか否かを調べる（ステップＳ１４４０）。
【０１０３】
ステップＳ１４４０において前回タグ確認信号を送信してから所定時間Ｔ６（例えば１秒）以内に有線スイッチ信号を受信した場合に（ステップＳ１４４０：Ｙｅｓ）、読取装置２００は、有線スイッチ信号に含まれる読取装置識別情報が、記憶部２１４に記憶されている自装置の読取装置識別情報と一致するか否かを確認する（ステップＳ１４５０）。
ステップＳ１４５０において両者が一致する場合に（ステップＳ１４５０：Ｙｅｓ）、有線スイッチ信号に含まる設備識別情報を含む無線スイッチ別信号を生成して、送信する（ステップＳ１４６０）。
【０１０４】
ステップＳ１４４０において前回タグ確認信号を送信してから所定時間Ｔ６（例えば１秒）以内に有線スイッチ信号を受信しなかった場合（ステップＳ１４４０：Ｎｏ）と、ステップＳ１４５０において両者が一致しない場合（ステップＳ１４５０：Ｎｏ）と、ステップＳ１４６０の処理が終了した場合とに、読取装置２００は、前回タグ質問信号を送信してから所定時間Ｔ５（例えば１秒）経過したか否かを調べる（ステップＳ１４７０）。
【０１０５】
ステップＳ１４２０において両者が一致しない場合（ステップＳ１４２０：Ｎｏ）と、ステップＳ１４７０において所定時間Ｔ５（例えば１秒）経過していない場合（ステップＳ１４７０：Ｎｏ）とに、読取装置２００は再びステップＳ１４１０に戻り、ステップＳ１４１０以降の処理を行う。
ステップＳ１４１０において前回タグ質問信号を送信してから所定時間Ｔ５（例えば１秒）以内にタグからタグ応答信号を受信しない場合（ステップＳ１４１０：Ｎｏ）と、ステップＳ１４７０において、前回タグ質問信号を送信してから所定時間Ｔ５（例えば１秒）経過している場合（ステップＳ１４７０：Ｙｅｓ）とに、読取装置２００は再びステップＳ１４００に戻り、ステップＳ１４００以降の処理を行う。
【０１０６】
＜照明制御処理＞
照明制御処理とは、照明スイッチ５００が行う照明６００を制御する処理である。
図１６は、照明制御処理を示すフローチャートである。
照明制御処理は、照明スイッチ５００が起動されることによってその処理を開始する。
照明スイッチ５００は、電源が投入される等により起動されるとタイマ５１５を起動する（ステップＳ１６００）。
【０１０７】
タイマ起動後所定時間Ｔ７（例えば１０秒）以内に無線スイッチ信号を受信すると（ステップＳ１６１０：Ｙｅｓ）、照明スイッチ５００は、照明を点灯させているか否かを調べる（ステップＳ１６２０）。
ステップＳ１６２０において、照明を点灯させている場合に（ステップＳ１６２０：Ｙｅｓ）、照明スイッチ５００は何もせず、照明を点灯させていない場合に（ステップＳ１６２０：Ｎｏ）、照明スイッチ５００は、記憶部５１２に記憶する設備識別情報毎に、設備識別情報と照明を点灯させる旨の情報である設備制御情報とを含む設備制御信号を生成して送信し（ステップＳ１６３０）て照明を点灯させていると記憶する。
【０１０８】
ステップＳ１６１０においてタイマ起動後所定時間Ｔ７（例えば１０秒）以内に無線スイッチ信号を受信しなかった場合（ステップＳ１６１０：Ｎｏ）に、照明スイッチ５００は、照明を点灯させているか否かを調べる（ステップＳ１６５０）。
ステップＳ１６５０において、照明を点灯させている場合に（ステップＳ１６５０：Ｙｅｓ）、照明スイッチ５００は、記憶部５１２に記憶する設備識別情報毎に、設備識別情報と照明を消灯させる旨の情報である設備制御情報とを含む設備制御信号を生成して送信し（ステップＳ１６６０）て照明を消灯させていると記憶し、照明を点灯させていない場合に（ステップＳ１６５０：Ｎｏ）、照明スイッチ５００は何もしない。
【０１０９】
ステップＳ１６２０において照明を点灯させている場合（ステップＳ１６２０：Ｙｅｓ）と、ステップＳ１６４０の処理が終了した場合と、ステップＳ１６７０の処理が終了した場合と、ステップＳ１６５０において照明を点灯させていない場合（ステップＳ１６５０：Ｎｏ）とには、照明スイッチ５００は再びステップＳ１６００の処理に戻り、ステップＳ１６００以降の処理を行う。
【０１１０】
上述の実施の形態１に係る設備制御システムによれば、読取装置はタグからタグ識別情報と照明から設備識別信号とを読み取り、管理サーバ１９０で、読み取られたタグ識別情報と読み取られた設備識別情報とを対応付けて記憶することができる。
＜変形例１＞
以下、本発明に係る設備制御システムの一実施形態として、実施の形態１に係る設備制御システムの一部を変形した変形例１に係る設備制御システムについて説明する。
【０１１１】
変形例１に係る設備制御システムは、実施の形態１における読取装置２００を、赤外線の信号を受信できる第１変形読取装置に変形し、照明６００を、赤外線によって設備登録信号を送信する第１変形照明に変形したものである。
以下、実施の形態１との相違点である、第１変形読取装置と第１変形照明とについて、その相違点を中心に図面を用いて説明する。
【０１１２】
＜第１変形読取装置＞
図１７は、第１変形読取装置１７００の主要機能ブロックを示すブロック図である。
同図に示されるように、第１変形読取装置１７００は、実施の形態１の読取装置２００の可視光通信信号受信部２２５が赤外線通信信号受信部１７２５に置き換えられ、フォトダイオード２２６が赤外線受光素子１７２６に置き換えられたものである。
【０１１３】
赤外線受光素子１７２６は、赤外線通信信号受信部１７２５と接続し、赤外線を受信すると、受信した赤外線に応じた電気信号を生成する素子である。
赤外線通信信号受信部１７２５は、ＣＰＵによって制御される復調器からなり、読取装置制御部２１０と赤外線受光素子１７２６とに接続し、赤外線受光素子１７２６が生成した電気信号を復調し、復調した信号を読取装置制御部２１０に送る機能を有する。
【０１１４】
＜第１変形照明＞
図１８は、第１変形照明１８００の主要機能ブロックを示すブロック図である。
同図に示されるように第１変形照明１８００は、実施の形態１の照明６００から信号重畳部６２１が削除され、赤外線信号送信部１８４１と赤外線発光素子１８４２とが追加されたものである。
【０１１５】
赤外線発光素子１８４２は、赤外線信号送信部１８４１と接続し、赤外線信号送信部１８４１から送信された信号に応じた赤外線を出力する素子である。
赤外線信号送信部１８４１は、ＣＰＵによって制御される変調器からなり、照明制御部６１０と赤外線発光素子１８４２とに接続し、照明制御部６１０から送られてきた信号を変調して赤外線発光素子１８４２へ送る機能を有する。
【０１１６】
上述の構成を備える本変形例１に係る設備制御システムは、実施の形態１に係る設備制御システムにおいて、照明６００がＬＥＤ６６２の発光する光に重畳させて送信していた設備登録信号を、第１変形照明１８００が赤外線発光素子１８４２から赤外線を用いて送信し、フォトダイオード２２６を用いて受信していた設備登録信号を、赤外線受光素子１７２６を用いて受信するように変形されたものである。
＜変形例２＞
以下、本発明に係る設備制御システムの一実施形態として、実施の形態１に係る設備制御システムの一部を変形した変形例２に係る設備制御システムについて説明する。
【０１１７】
変形例１に係る設備制御システムは、実施の形態１における読取装置２００を、テンキーを用いて設備識別情報を入力される第２変形読取装置に変形し、照明６００を、自装置の設備識別情報を示すバーコードを備える第２変形照明に変形したものである。
以下、実施の形態１との相違点である、第２変形読取装置と第２変形照明とについて、その相違点を中心に図面を用いて説明する。
【０１１８】
＜第２変形読取装置＞
図１９は、第２変形読取装置１９００の主要機能ブロックを示すブロック図である。
同図に示されるように、第２変形読取装置１７００は、実施の形態１の読取装置２００の可視光通信信号受信部２２５とフォトダイオード２２６とが削除され、テンキー１９２５とディスプレイ１９２６とが追加されたものである。
【０１１９】
テンキー１９２５は、読取装置制御部２１０と接続し、ユーザに操作されることによって入力された数字を読取装置制御部２１０に送信する機能を有する。
ディスプレイ１９２６は、読取装置制御部２１０と接続し、テンキー１９２５が入力する数字を表示する機能を有する。
＜第２変形照明＞
図２０は、第２変形照明２０００の主要機能ブロックを示すブロック図である。
【０１２０】
同図に示されるように第２変形照明２０００は、実施の形態１の照明６００から信号重畳部６２１が削除され、バーコード２０１０が追加されたものである。
バーコード２０１０は、第２変形照明２０００の表面に貼り付けられ、バーコードリーダによって第２変形照明２０００の識別情報が読み取られるものである。
上述の構成を備える本変形例３に係る設備制御システムは、実施の形態１に係る設備制御システムにおいて、設備登録信号に含ませて照明６００から読取装置２００に送信していた設備識別情報の変わりに、ユーザがバーコードリーダを用いて第２変形照明２０００から設備識別情報を読み取り、ユーザがテンキー１９２５を操作して読み取った設備識別情報を第２変形読取装置１９００に入力するように変形されたものである。
＜補足＞
以上、本発明に係る設備管理システムの一実施形態として、実施の形態１、実施の形態２、実施の形態３として、３つの設備システムの例に基づいて説明したが、以下のように変形することも可能であり、本発明は上述した実施の形態で示した通りの設備管理システムに限られないことはもちろんである。
【０１２１】
（１）実施の形態１において、設備管理システムは、建物内に設置されている照明と読取装置と管理サーバとから構成される例について説明したが、例えば、公園に設置されている照明とその照明の近傍に配置されている読取装置とその公園の地下に設置されている読取装置とから構成されるというように、構成する照明と読取装置と管理サーバとの配置場所が建物内に限定されるものではない。
【０１２２】
（２）実施の形態１において、設備を制御する例として照明の点灯と消灯とを切り替える制御の例を示したが、必ずしも照明の点灯と消灯とを切り替えるといった制御に限られる必要はなく、例えば、実施の形態１において照明が消灯している状態の替わりに、照明が暗い光を発する状態とすることによって、明るい光を発する状態と暗い光を発する状態とを切り替える制御といったような、照明の明度を変更する制御であっても構わない。
【０１２３】
ここで、暗い光を発する状態は、例えば、照明制御部６３１がＬＥＤ６２２に供給する電流量を、明るい光を発する状態の半分にするといったことで実現することができる。
（３）実施の形態１において、設備の例として照明を用いて、その照明の点消灯を制御する場合を例として説明したが、例えば、設備としてエアコンを用いて、そのエアコンの起動と停止とを制御する場合や、設備として電気錠を用いて、その電気錠の施錠と解錠とを制御する場合といったように、予め定められた動作を行わせることができる設備であれば、照明以外の設備を制御するとしても構わない。
【０１２４】
（４）実施の形態１において、読取装置２００は、認証モードにおいて登録ボタン２１２が押下されると、モードを登録モードに設定するとしたが、読取装置２００のモードを認証モードから登録モードに変更する契機は、例えば、認証モードにおいてユーザから送信された読取装置２００を登録モードに切り替えさせる旨の信号を受信することを契機とするとか、認証モードにおいてユーザから登録モード切り替えさせるためのなんらかの操作を受け付けることを契機にするといったように、認証モードにおいて登録ボタン２１２が押下されることを契機とすることに限定されるものではない。
【０１２５】
（５）実施の形態１において、読取装置２００は、登録モードにおいてタグ質問信号を送信してから所定時間Ｔ３経過すると、モードを認証モードに設定するとしたが、読取装置２００のモードを登録モードから認証モードに変更する契機は、例えば、モードを登録モードに設定してから所定時間経過することを契機にするとか、登録モードにおいてユーザから認証モード切り替えさせるためのなんらかの操作を受け付けることを契機にするというように、登録モードにおいてタグ質問信号を送信してから所定時間Ｔ３経過することを契機とすることに限定されるものではない。
【０１２６】
（６）実施の形態１において、読取装置２００はユーザからの押下を受け付ける登録ボタン２１２を有する構成であるとしたが、ユーザからの操作を受け付ける機能があれば、ボタンという形状をしないインターフェースであっても構わないし、押下以外の操作を受け付けるインターフェースであっても構わない。
同様に、タグ４００はユーザからの押下を受け付けるボタン４１１を有する構成であるとしたが、ユーザからの操作を受け付ける機能があれば、ボタンという形状をしないインターフェースであっても構わないし、押下以外の操作を受け付けるインターフェースであっても構わない。
【０１２７】
（７）実施の形態１において、管理サーバ１９０は、コピー処理において、複製元信号に含まれる管理サーバ識別信号と自装置の管理サーバ識別信号とが一致するか否かを調べた（ステップＳ１３１０）後に、複製先信号に含まれる管理サーバ識別信号と自装置の管理サーバ識別信号とが一致するか否かを調べた（ステップＳ１３２０）としたが、両者の処理は互いに独立して実行されることが可能であるため、両者が実行される順番は、上述した順番と逆の順番であっても構わない。
【０１２８】
（８）実施の形態１において、タグ４００は、読取装置２００からタグ質問信号を受信すると、タグ応答信号を送信するとしたが、タグ４００がタグ応答信号を送信する契機は、例えば、ボタン４１１が押下されることを契機とするとか、時刻を計測するタイマを備え、読取装置２００からタグ質問信号を受信する場合において、タグ質問信号を受信してから所定の時間以内にボタン４１１が押下されることを契機とするというように、読取装置２００からタグ質問信号を受信することを契機とすることに限定されることはない。
【０１２９】
さらには、例えば、タグ４００は、定期的にタグ応答信号を送信するといったように、タグ応答信号を送信するための契機がない構成であっても構わない。
（９）実施の形態１〜３において、読取装置が照明６００から設備識別情報を読み取る例として、可視光を用いて通信する例、赤外線を用いて通信する例、バーコードとバーコードリーダとを用いて読み取る例について説明したが、照明６００から設備識別情報を読み取ることができれば、必ずしもこれらの例に限られず、例えば、照明６００が自器の設備識別情報を記憶するパッシブタグを備え、ユーザがパッシブタグリーダを用いて照明から設備識別情報を読み取り、ユーザがテンキーを操作して読み取った設備識別情報を読取装置に入力するといった例等が考えられる。
【０１３０】
（１０）実施の形態１において、第１質問信号受信可能範囲３０１が読取装置２００を中心として半径１．５ｍの範囲となるように第１電界強度を設定し、第２質問信号受信可能範囲３０２が読取装置２００を中心として半径３ｍの範囲となるように第２電界強度を設定したが、第１電界強度の方が第２電界強度よりも弱い電界強度であれば、第１質問信号受信可能範囲３０１が読取装置２００を中心として半径１．５ｍの範囲に限られる必要はなく、また第２質問信号受信可能範囲３０２が読取装置２００を中心として半径３ｍの範囲に限られる必要もない。
【０１３１】
さらには、第１電界強度と第２電界強度とが同じ電界強度であっても、第１電界強度の方が第２電界強度よりも強い電界強度であっても構わない。
ここで、第１電界強度と第２電界強度とが同じ電界強度である場合には、第１質問信号受信可能範囲３０１と第２質問信号受信範囲３０２が等しい範囲となり、第１電界強度の方が第２電界強度よりも強い電界強度である場合には、第１質問信号受信可能範囲３０１の方が第２質問信号受信範囲３０２よりも広い範囲となる。
【０１３２】
（１１）実施の形態１において、管理サーバ１９０と読取装置２００とが互いに別々の筐体である例について、例えば、図１中の読取装置１０１〜読取装置１１２のうちのいずれか１つの読取装置が、管理サーバ１９０と同様の機能を含んでいる筐体であるとしても構わない。
（１２）また、前記設備制御システムは前記読取装置を複数備え、前記読取装置のそれぞれは、送信するタグ登録情報と認証情報とに自装置の読取装置識別情報を含ませて送信し、設備識別情報の送信を、当該設備識別情報と自装置の読取装置識別情報とを含む設備登録情報を送信することで行い、前記記憶手段は、タグ識別情報と設備識別情報とを読取装置識別情報に対応付けて記憶するためのものであり、前記制御手段は、前記読取装置からタグ登録情報を受信する毎に、当該タグ登録情報に含まれるタグ識別情報を当該タグ識別情報に含まれる読取装置識別情報に対応付けて前記記憶手段に記憶させ、前記読取装置から設備登録情報を受信する毎に、当該設備登録情報に含まれる設備識別情報を当該設備登録情報に含まれる読取装置識別情報に対応付けて前記記憶手段に記憶させ、前記読取装置から認証情報を受信した場合において前記記憶手段に対応付けられて記憶されているタグ識別情報と読取装置識別情報との組の中に当該認証情報に含まれるタグ識別情報と読取装置識別情報との組が存在するときに限って前記記憶手段に記憶されている当該組に対応付けられている設備識別情報を含む制御信号を設備の制御をする装置に出力することを特徴としてもよい。
【０１３３】
このような構成にすることによって、特定の設備の利用をその特定の設備に対応付けられたタグを所有する設備利用権限者に限定して許可するという運用が可能になるという効果と、特定の設備を制御するために行うタグ識別情報の読み取りを、その設備の近傍に設置された読取装置に限定して許可するという運用が可能になるという効果を有する。
（１３）また、第１読取装置は、第１所定操作を受け付ける第１操作受付手段を有し、当該第１操作受付手段によって前記第１所定操作が受け付けられた場合に自装置の読取装置識別情報を含む第１所定操作情報を前記管理装置に送信し、第２読取装置は、第２所定操作を受け付ける第２操作受付手段を有し、当該第２操作受付手段によって前記第２所定操作が受け付けられた場合に自装置の読取装置識別情報を含む第２所定操作情報を前記管理装置に送信し、前記管理装置は、前記第１所定操作情報と前記第２所定操作情報とを受信した場合において当該第１所定操作情報に含まれる読取装置識別情報と一致する読取装置識別情報が前記記憶手段に記憶されているときに当該一致する読取装置識別情報に対応付けられて前記記憶手段に記憶されているタグ識別情報と設備識別情報とを前記第２所定操作情報に含まれる読取装置識別情報に対応付けて前記記憶手段に記憶させることを特徴としてもよい。
【０１３４】
このような構成にすることによって、第２読取装置に設備識別情報を入力するとか、第２読取装置にタグ識別情報を受信させるという煩わしい手続きをすることなく、第１読取装置の読取装置識別情報と対応付けられているタグ識別情報と設備識別情報とを、第２読取装置の読取装置識別情報に対応付けさせることができるという効果を有する。
（１４）また、前記記憶手段は、記憶するタグ識別情報を、記憶する時刻に対応付けて記憶するためのものであり、前記制御手段は、時刻を計測する時刻計測手段を有し、前記記憶手段に記憶させるタグ識別情報を、当該タグ識別情報を記憶させる時刻に対応付けて記憶させ、前記読取装置からタグ登録情報を受信した場合において、前記記憶手段にタグ識別情報が記憶されていないとき又は、タグ識別情報に対応付けられて前記記憶手段に記憶されている時刻が現在時刻から所定の時間前以内のときには、当該タグ登録情報に含まれるタグ識別情報を前記記憶手段に記憶させ、タグ識別情報に対応付けられて前記記憶手段に記憶されている時刻が現在時刻から所定の時間前以上のときには、前記記憶手段に記憶されているタグ識別情報を前記記憶手段から削除し、当該タグ登録情報に含まれるタグ識別情報を前記記憶手段に記憶させることを特徴としてもよい。
【０１３５】
このような構成にすることによって、前回管理装置がタグ識別情報を記憶してから所定時刻経過後に、管理装置に新たなタグ識別情報を記憶させるだけで、管理装置に記憶されている全ての古いタグ識別情報を削除して、管理装置に新たなタグ識別情報を記憶させることができるという効果を有する。
（１５）また、前記読取装置は、前記タグにタグ識別信号を送信させるためのタグ質問信号を電磁波に含ませて送信し、前記登録モードの期間における前記読取装置の送信する電磁波の電界強度が、前記登録モードでない期間における前記読取装置の送信する電磁波の電界強度よりも弱いことを特徴としてもよい。
【０１３６】
このような構成にすることによって、登録モードの期間におけるタグ質問信号の到達範囲が、登録モードでない期間におけるタグ質問信号の到達範囲よりも狭い範囲となるため、管理装置にタグ識別情報を記憶させるように意図されていないタグのタグ識別情報を、誤って管理装置に記憶させてしまう可能性を低くすることができるという効果を有する。
（１６）また、前記設備制御システムは、前記タグを複数備え、前記読取装置は、前記タグにタグ識別信号を送信させるためのタグ質問信号を送信し、前記タグは、前記タグ質問信号を受信すると、自機のタグ識別情報を含むタグ応答信号を前記読取装置に送信することを特徴としてもよい。
【０１３７】
このような構成にすることによって、登録モードの期間において管理装置にタグ識別情報を記憶させることができるタグを、読取装置から送信された質問信号に対応する応答信号を送信する正規のタグに限定することができるという効果を有する。
（１７）また、前記タグは、所定操作を受け付けるタグ操作受付手段と、時刻を計測する時刻計測手段とを有し、前記タグ応答信号の送信を、前記タグ質問信号を受信した時刻から所定時間内に前記タグ操作受付手段が前記所定操作を受け付けたときに限って行うことを特徴としてもよい。
【０１３８】
このような構成にすることによって、タグ所有者が、所有するタグを管理装置に記憶させるか否かの判断をすることができるようになるため、意図しないタグのタグ識別情報を管理装置に記憶させてしまう可能性を低くすることができるという効果を有する。
（１８）また、前記設備制御システムは、前記設備を備え、前記設備は、自機に対応付けられている設備識別情報を示すバーコードを有し、バーコードから設備識別情報を読み取り、当該設備識別情報を前記読取装置に送信するバーコードリーダを備え、前記読取装置は、前記バーコードリーダから送信された設備識別情報を受信する受信手段を有し、前記読取装置が入力される設備識別情報は、前記受信手段によって受信された設備識別情報であることを特徴としてもよい。
【０１３９】
このような構成にすることによって、容易に入手可能で安価なバーコードリーダを用いて、読取装置に設備識別情報を入力させることができるようになるという効果を有する。
（１９）また、前記設備制御システムは、前記設備を備え、前記設備は、自機に対応付けられている設備識別情報を記憶しているパッシブタグを有し、パッシブタグから設備識別情報を読み取り、当該設備識別情報を前記読取装置に送信するパッシブタグリーダを備え、前記読取装置は、前記パッシブタグリーダから送信された設備識別情報を受信する受信手段を有し、前記読取装置が入力される設備識別情報は、前記受信手段によって受信された設備識別情報であることを特徴としてもよい。
【０１４０】
このような構成にすることによって、容易に入手可能で安価なパッシブタグとパッシブタグリーダとを用いて、読取装置に設備識別情報を入力させることができるようになるという効果を有する。
（２０）また、前記設備制御システムは、前記設備を備え、前記設備は、自機に対応付けられている設備識別情報を送信する送信手段を有し、前記読取装置は、前記送信手段から送信された設備識別情報を受信する受信手段を有し、前記読取装置が入力される設備識別情報は、前記受信手段によって受信された設備識別情報であることを特徴としてもよい。
【０１４１】
このような構成にすることによって、読取装置に入力する設備識別情報を設備から読み取る必要がなくなるという効果を有する。
（２１）また、前記設備は照明器具であって、前記送信手段は可視光線を用いて設備識別情報を送信し、前記受信手段は可視光線を用いて送信された設備識別情報を受信することを特徴としてもよい。
【０１４２】
このような構成にすることによって、照明装置が送信器を備えていなくても、照明器具が発する可視光を用いて読取装置に設備識別情報を送信することができるという効果を有する。
【符号の説明】
【０１４３】
１０１〜１１２  読取装置
１２１〜１２８  照明
１３１  設備ネットワーク
１３２  読取装置ネットワーク
１６１、１６２  照明スイッチ
１９０  管理サーバ
【図１】
2011175344.tif 000003
【図２】
2011175344.tif 000004
【図３】
2011175344.tif 000005
【図４】
2011175344.tif 000006
【図５】
2011175344.tif 000007
【図６】
2011175344.tif 000008
【図７】
2011175344.tif 000009
【図８】
2011175344.tif 000010
【図９】
2011175344.tif 000011
【図１０】
2011175344.tif 000012
【図１１】
2011175344.tif 000013
【図１２】
2011175344.tif 000014
【図１３】
2011175344.tif 000015
【図１４】
2011175344.tif 000016
【図１５】
2011175344.tif 000017
【図１６】
2011175344.tif 000018
【図１７】
2011175344.tif 000019
【図１８】
2011175344.tif 000020
【図１９】
2011175344.tif 000021
【図２０】
2011175344.tif 000022